(57)【要約】【課題】どんな種類のカメラでも、カメラの向きの如何を問わず、カメラの重心が三脚のほぼ中心に位置するように三脚に装着することができ、従って倒れることなくカメラを安定的に支えることができるカメラ用三脚を提供する。【解決手段】カメラ用三脚は、三方に開くことができる２本の前脚（１、１）及び１本の後脚（２）と、前脚を左右に開閉できるように回動自在に支持するブラケット（６）及び後脚と一緒に一端が回動自在に連結された支持アーム（４）と、支持アームの他端に回動自在に連結された取付けアーム（Ａ）と、取付けアームにその平面と平行に回動できるように取り付けられた雲台（３）と、を含み、雲台はその長手方向に延びる長穴（Ｄ）と、該長穴に沿って位置が変えられるノブ付固定ねじ（１３）と、を含む。【選択図】      図１
2004271867.tif 000002
【特許請求の範囲】
【請求項１】
三方に開くことができる２本の前脚及び１本の後脚と、前脚を左右に開閉できるように回動自在に支持するブラケット及び後脚と一緒に枢軸兼締付けねじにより一端が回動自在に連結され、締付けノブにより締め付けられる支持アームと、支持アームの他端に枢軸兼締付けねじにより回動自在に連結され、締付けノブにより締め付けられる取付けアームと、取付けアームにその平面と平行に回動できるように枢軸で取り付けられた雲台と、を含み、雲台はその長手方向に延びる長穴と、該長穴に沿って位置が変えられるノブ付固定ねじと、を含む、カメラ用三脚。
【請求項２】
雲台は、これを枢軸を中心に取付けアームに対して所定角度ずつクリック止めすることのできるクリック止め機構を備え、クリック止め機構は、雲台に固定されたクリック止め円板と、クリック止め円板の外周面に、例えば４５度ずつ等間隔に形成されたクリック止め溝と、クリック止め溝の１つに係合するようになっていて、取付けアームに設けられたＷ形板ばね形態のクリック止め部と、からなる、カメラ用三脚。
【発明の詳細な説明】
【０００１】
【発明の属する分野】
本発明は、簡易な構造のカメラ用三脚に関し、特に、カメラの重心及び三脚取付け用ねじ穴との関係でカメラを縦横いずれの向きでも支えることができるカメラ用三脚に関する。
【０００２】
【従来の技術】
この種のカメラ用三脚は、三方に開くことができる２本の前脚及び１本の後脚と、カメラを取り付けるための雲台と、を有し、前脚は左右に開閉するように枢軸でブラケットに回動自在に連結され、雲台は、その三又取付部が、ブラケットの二又取付部及び後脚の二又取付部と組み合い、枢軸兼締付ねじで互いに回動自在に連結されることによって脚に取り付けられる。前後に開かれた前脚及び後脚とほぼ水平に位置決めされた雲台は、プラケット、後脚及び雲台の組み合った又取付部を、締付ねじに螺合させた締付レバーによって互いに締め付けつることにより適所に固定される。雲台はまた、カメラを雲台に固定するために、カメラのねじ穴に螺合するようになったノブ付固定ねじを具備している。
【０００３】
【発明が解決しようとする課題】
カメラが常態で横長のもの、或いはあるインスタントカメラのように縦長のものいずれにおいても、カメラのレンズはほぼ正面中心に位置し、従って三脚取付け用のねじ穴がレンズのほぼ真下、換言すれば、カメラの重心に近い位置にある。このようなカメラの場合には、カメラがノブ付固定ねじで雲台に固定されたときカメラの重心が三脚のほぼ中心に位置するため、上記構造の三脚で倒れることなくカメラを安定的に支えることができる。しかし、上記構造の三脚はカメラを横向きにして支えることはできない。
【０００４】
本出願人は、そのようなカメラを横向きでも支えることが出来るように工夫したカメラ用三脚を特願２００２−１０５６８７号として提案している。この三脚は、前脚を左右に開閉できるように回動自在に支持するブラケット及び後脚と一緒に一端が回動自在に連結され、且つ他端に雲台を回動自在に連結した支持アームを含み、雲台は、支持アームがその枢軸を中心に一方向に回動して一方の位置にあるとき、支持アームの上に折り重なって雲台の固定ねじを上向きで三脚の中心に隣接して位置させ、枢軸を中心に他の方向に回動して他方の位置にあるとき、支持アームに対して上方に延びて雲台の固定ねじを横向きで三脚の中心から側方に偏して位置させるようになっている。
【０００５】
デジタルカメラやインスタントカメラのなかには、設計上レンズがカメラの正面の中心から偏し、そのことによる重心ずれの関係から、三脚取付け用のねじ穴がカメラの重心位置から一方向に或いは他方向に偏して設けられるカメラが出現してきている。上記の特願２００２−１０５６８７号によるカメラ用三脚の構成では、このようなカメラを縦向きにせよ横向きにせよ三脚に装着して支えようとしてもカメラの重心が三脚の中心から相当にずれるために、前脚と後脚をどんなに突っ張ってみても、脚はカメラを支えきれず倒れてしまうと言う問題があった。
【０００６】
本発明の目的は、三脚取付け用のねじ穴が、カメラの正面のほぼ中心にあるレンズのほぼ真下、換言すれば、カメラの重心に近い位置にあるカメラは勿論のこと、カメラの正面の中心から偏したレンズ、換言すれば重心ずれの関係から、その位置から一方向に或いは他方向に偏して設けられているカメラをも、その重心が三脚のほぼ中心に位置するようにしてカメラを三脚に装着することができ、従って三脚は倒れることなくカメラを安定して支えることができるカメラ用三脚を提供することにある。
【０００７】
【課題を解決するための手段】
本発明の上記の目的は、三方に開くことができる２本の前脚及び１本の後脚と、前脚を左右に開閉できるように回動自在に支持するブラケット及び後脚と一緒に枢軸兼締付けねじにより一端が回動自在に連結され、締付けノブにより締め付けられる支持アームと、支持アームの他端に枢軸兼締付けねじにより回動自在に連結され、締付けノブにより締め付けられる取付けアームと、取付けアームにその平面と平行に回動できるように枢軸で取り付けられた雲台と、を含み、雲台はその長手方向に延びる長穴と、該長穴に沿って位置が変えられるノブ付固定ねじと、を含む、カメラ用三脚を提供することによって達成される。
【０００８】
好ましい形態では、雲台は、これを枢軸を中心に取付けアームに対して所定角度ずつクリック止めすることのできるクリック止め機構を備え、クリック止め機構は、雲台に固定されたクリック止め円板と、クリック止め円板の外周面に、例えば４５度ずつ等間隔に形成されたクリック止め溝と、クリック止め溝の１つに係合するようになっていて、取付けアーム設けられたＷ形板ばね形態のクリック止め部と、からなる。
【０００９】
【作用】
使用中、締付レバーによる締付けを緩めて、前脚と後脚を前後に開き、且つ前脚を左右に開き、次いで、カメラのレンズの位置及び三脚取付け用ねじ穴の位置に応じて、支持アームをこれに取付けアームを重ねた状態で後脚の方にほぼ水平になるまで枢軸を中心に回動させ且つ雲台を取付けアーム上に整合状態に重ねたり、その状態で、雲台を三脚の正面で見て右又は左に張り出させる為４５度右又は左に回動させたり、支持アームを前脚の方に枢軸を中心に回動させ、取付けアームを枢軸を中心に支持アームに対して上方に回動させたり、或いはその状態で雲台を取付けアームから延長するように１８０度取付けアームに対して回動させたりする。支持アーム及び取付けアームの回動に際し、締付けノブによる締め付けを緩め、次いでそれらを適所に固定するため締付けノブによる締め付けを行うことは明らかである。
【００１０】
【発明の実施形態】
図面を参照すると、本発明によるカメラ用三脚は、ねじ部を除いて基本的には硬質ブラスチック材料で作られていて、三方に開くことができる２本の前脚１、１及び１本の後脚２と、支持アーム４と、雲台３の取付けアームＡと、を含む。前脚１、１は左右に開閉できるように枢軸５でブラケット６に回動自在に連結されている。支持アーム４は、その両端に三又取付部７、８を有し、支持アーム４の一方の端即ち近位端の三又取付部７とブラケット６の二又取付部９及び後脚２の二又取付部１０は互いに組み合い、且つ枢軸兼締付ねじ１１で互いに回動自在に連結されている。締付ねじ１１には、これに螺合し、前後に開かれる前脚及び後脚と支持アームを、それらの組み合った又取付部を互いに締付けることによって適所に固定する締付ノブ１２が設けられている。雲台３の取付けアームＡは、その遠位端の二又取付部Ｂが支持アーム４の他方の端即ち遠位端の三又取付部８と組み合い、枢軸兼締付ねじ１５で支持アーム４の三又取付部８に回動自在に連結されている。締付ねじ１５には、該締付ねじに螺合し、取付けアーム及び支持アームの組み合った又取付部を互いに締付けることによって取付けアームＡと支持アーム４を適所に固定する締付ノブ１６が設けられている。雲台３は、枢軸Ｃで取付けアームＡの近位端に回動自在に取り付けられ、且つカメラを雲台３に固定するために、カメラの三脚取付け用のねじ穴に螺合するようになったノブ付固定ねじ１３を有する。ノブ付固定ねじ１３は雲台３の長さに沿って形成された長穴Ｄに沿って移動できるようになっている。雲台３には、これを枢軸Ｃを中心に取付けアームＡに対して所定角度ずつクリック止めすることのできるクリック止め機構Ｅが設けられるのが好ましい。このため、クリック止め機構Ｅは、雲台３に固定されたクリック止め円板Ｆと、クリック止め円板Ｆの外周面に、例えば４５度ずつ等間隔に形成されたクリック止め溝Ｇと、クリック止め溝の１つに係合するようになっていて、取付けアームＡの肩Ｈに当接して設けられたＷ形板ばね形態のクリック止め部Ｉと、からなる。
【００１１】
本発明による三脚を立てようとする時には、締付ノブ１２による締付けを緩めて、前脚１と後脚２を枢軸を中心に前後に開き、且つ前脚１、１をブラケット６の枢軸５を中心に左右に開く。同時に、支持アーム４を、開いた三脚に対して水平な位置まで枢軸を中心に回動させて後脚２の上方に位置させ、締付ノブ１２による締付けを行って脚及び支持アームをその位置で固定する。カメラが正面中心にレンズを、又その底の中心に三脚取付け用のねじ穴を有しているカメラを三脚に装着する場合には、図１に示すように取付けアームＡを支持アーム４に折り重ねた状態にして締付ノブ１６を締めて両アームをその歯に固定する。雲台３を取付けアームＡと整合させた状態で、ノブ付固定ねじ１３を長穴Ｄに沿って雲台の近位端に向かって移動させ、その位置でノブ付固定ねじ１３をカメラのねじ穴にねじ込んでカメラを雲台に固定する。そうすると、カメラの重心は立てた三脚の中心寄りに位置するから、カメラを三脚で安定的に支えることができる。
【００１２】
図４は、正面中心から偏してレンズを、また底の中心から偏して三脚取付け用のねじ穴を有しているカメラの三脚に対する装着の様子を示している。雲台３を図１の位置から枢軸Ｃを中心に取付けアームＡに対して４５度時計回りにクリック機構の作用に抗して回動させる。すると、雲台は図４の正面で見て右に張り出され、カメラのレンズを三脚のほぼ中心に合わせてノブ付固定ねじ１３の位置を適宜調整した上でノブ付固定ねじ１３をカメラのねじ穴に螺合させ、カメラを雲台に固定する。カメラの重心が三脚のほぼ中心に位置する結果、三脚は倒れることなくカメラを安定的に支えることができる。このようなカメラの例は、主としてコンパクトなデジタルカメラである。
【００１３】
図５は、カメラが主として縦長で、底の中心から図４の場合と逆の方向に偏して三脚取付け用のねじ穴を有しているカメラの三脚に対する装着の様子を示している。雲台３を図１の位置から枢軸Ｃを中心に取付けアームＡに対して４５度反時計回りにクリック機構の作用に抗して回動させる。すると、雲台は図５の正面で見て左に張り出され、カメラのレンズを三脚のほぼ中心に合わせてノブ付固定ねじ１３の位置を適宜調整した上でノブ付固定ねじ１３をカメラのねじ穴に螺合させ、カメラを雲台に固定する。カメラの重心が三脚のほぼ中心に位置する結果、三脚は倒れることなくカメラを安定的に支えることができる。このようなカメラの例は、写真が上から取り出されるようになったインスタントカメラである。
【００１４】
図６は、カメラが主として縦長で、正面中心にレンズを、又その底の中心に三脚取付け用のねじ穴を有し、図５の場合と同様に写真が上から取り出されるようになったインスタントカメラの場合を示している。カメラを雲台に取り付ける仕方は先に説明した図１における場合と同様である。
【００１５】
図７及び８は、図６及び５に示すインスタントカメラを横向きにして三脚に装着した様子を示している。図７において、先ず、締付ノブ１２による締め付けを緩めて、支持アーム４を枢軸を中心に先に述べた図１における位置と反対側の位置まで１８０度回動させて、前脚１、１の方に位置させ、締付ノブ１２を再び締めて支持アームを４をその位置に固定する。次いで、締付ノブ１６による締め付けを緩めて取付けアームＡを立てた三脚に対して垂直に起こし、締付ノブ１６を再び締めて取付けアームＡをその位置に固定する。雲台３は取付けアームＡと整合したままである。ノブ付固定ねじ１３の位置を長穴Ｄに沿って適宜調整して、ノブ付固定ねじ１３をカメラ（図６に示すカメラ）のねじ穴にねじ込んでカメラを雲台に固定する。この場合、図から明らかなように、カメラは三脚の開いた前後の脚と９０度向きを変えて三脚によって支えられることになる。カメラは雲台に横向きに固定されるがカメラの重心が三脚の中心寄りに位置するから、カメラを三脚で安定的に支えることができる。
【００１６】
図８に示すカメラの場合には、カメラの三脚に対する横向きの装着は、図７に示す三脚の使用状態から、雲台３を取付けアームＡに対して１８０度回動させて取付けアームＡの延長上に位置させることによって可能になる。
【００１７】
三脚が、雲台を４５度の刻みでクリック止めするように構成されたクリック止め機構を備えているため、カメラを例えば、図４、５及び６に示す正面の位置から三脚をそのままにして４５度ずつ回動させることができるので、風景等を連続写真として撮ることができる。
【００１８】
本発明による三脚は上記のように構成されているから、三脚取付け用のねじ穴が、カメラの正面のほぼ中心にあるレンズのほぼ真下、換言すれば、カメラの重心に近い位置にあるカメラは勿論のこと、カメラの正面の中心から偏したレンズ、換言すれば重心ずれの関係から、その重心位置から一方向に或いは他方向に偏して設けられているカメラをも、その重心が三脚のほぼ中心に位置するようにして三脚に装着することができ、従って三脚は倒れることなくカメラを安定して支えることができる。
【図面の簡単な説明】
【図１】本発明によるカメラ用三脚の斜視図である。
【図２】雲台を図１の状態から１８０度回転させた本発明によるカメラ用三脚の図１と同様な図である。
【図３】雲台を９０度回転させた本発明によるカメラ用三脚の一部切除した平面図である。
【図４】あるカメラを雲台に装着した本発明によるカメラ用三脚の使用状態を示す正面図である。
【図５】別のカメラを雲台に装着した本発明によるカメラ用三脚の使用状態を示す正面図である。
【図６】更に別のカメラを雲台に装着した本発明のカメラ用三脚の使用状態を示す正面から見た斜視図である。
【図７】図６に示すカメラを横向きにして雲台に装着した本発明のカメラ用三脚の使用状態を示す側面から見た斜視図である。
【図８】図５に示すカメラを横向きにして雲台に装着した本発明のカメラ用三脚の使用状態を示す側面図である。
【図９】本発明によるカメラ用三脚を折り畳んだ状態で示す側面図である。
【符号の説明】
１  前脚
２  後脚
３  雲台
４  支持アーム
５  枢軸
６  ブラケット
７  三又取付部
８  三又取付部
９  二又取付部
１０  二又取付部
１１  枢軸兼締付ねじ
１２  締付レバー
１３  ノブ付固定ねじ
１４  枢軸兼締付ねじ
１５  締付ノブ１５
１６  締付ノブ１６
Ａ  取付けアーム
Ｂ  二又取付部
Ｃ  枢軸
Ｄ  長穴
Ｅ  クリック止め機構
Ｆ  円板
Ｇ  クリック止め溝
Ｈ  肩
Ｉ  クリック止め部
【図１】
2004271867.tif 000003
【図２】
2004271867.tif 000004
【図３】
2004271867.tif 000005
【図４】
2004271867.tif 000006
【図５】
2004271867.tif 000007
【図６】
2004271867.tif 000008
【図７】
2004271867.tif 000009
【図８】
2004271867.tif 000010
【図９】
2004271867.tif 000011